(57)【要約】【課題】パウチに収納した流動状の内容物を簡単な操作で残さず取り出すことのできる機能を有したパウチ包装箱を提供すること。【解決手段】前面パネル１の破断線ａとこれに繋がる左右の側面パネル３，４の破断線ｂ，ｃを破断しつつ、包装箱の上部を後方に折り曲げて開封し、次いで、折り曲げた包装箱の上部を下側にして電子レンジ内にセットし、中のパウチを加熱調理する。そして、加熱調理したパウチを取り出してそのパウチから内容物を流し出した後、背面パネル２における斜め方向の破断線ｅ，ｆを破断しつつ折返し線βのところで折り返して包装箱をもう一段開き、二つ折りにしたパウチを包装箱の天部のエッジと底部のエッジで挟んで引くことにより、残った内容物を絞り出す。【選択図】図３
2015205698.tif 000002
【特許請求の範囲】
【請求項１】
前面パネル、背面パネル及び左右の側面パネルからなる胴部の上下を天面パネルと底面パネルで閉鎖される偏平状の箱であって、前面パネルにはその上半部分に当該前面パネルを横断する破断線が設けられ、左右の側面パネルにはそれぞれ前面パネルの破断線の端から延びて背面パネルに至る破断線が設けられ、背面パネルにはその中央を横断する位置の中ほどに折返し線が設けられており、その折返し線の両端は、左右の側面パネルの破断線からそれぞれ内側に斜め下方に向けて設けられた破断線に接続していることを特徴とするパウチ包装箱。
【発明の詳細な説明】
【技術分野】
【０００１】
本発明は、流動状の食品などが入ったパウチを収納して販売するためのパウチ包装箱に関する。
【背景技術】
【０００２】
従来より、調理済みのレトルトカレーなど流動状の食品をパウチ（包装袋）に入れて販売形態とした商品が数多く知られている。この場合、食品を封入したパウチのみの形態で販売されることもあるが、多くの場合、パウチの保形性や表示等のデザイン性、及び衛生面などから、偏平な外装用の包装箱に収納して販売されている。
【０００３】
流動状の食品を封入したパウチは、実際に使用するに当たり、傾けて流し出した後の残量が気になるという問題を抱えている。特にひき肉やタマネギなどの小さな食材はパウチの中に残りやすい。パウチから内容物を残さず絞り出そうとしても、パウチは手の幅よりも広く、手そのものに凹凸があるのでパウチ全体を綺麗にしごくことは困難である。しごくための専用の道具が市販されているので、これを準備しておいたり、菜箸で代用することもあるが、必要なときに必ずしもそばにあるとは限らない。そこで、本出願人は、特許文献１に記載のパウチ包装箱、すなわち、パウチに収納した流動状の内容物を残さず取り出すことのできる機能を有したパウチ包装箱をすでに提案している。
【０００４】
このパウチ包装箱は、前面パネルにはその中央を真っ直ぐに横断する折線が設けられるとともに、その下辺寄りのところを横断する状態で線状のスリットを形成するためのミシン目線が設けられており、背面パネルにはパウチ取出し用の開封部が破断線により区画されており、左右の側面パネルにはそれぞれ前面パネルの折線の端から延びて背面パネルの開封部に繋がるミシン目線が設けられている。そして、背面パネルに開口を形成して中のパウチを取り出し、内容物を流し出した後、前面パネルの底部付近にスリットを形成するとともに前面パネルの中央の折線のところで箱を二つ折り状態としてから、内容物が残ったパウチをスリットに通し、そのパウチを箱の天部と底部とで挟んでしごくことにより、パウチから残りの内容物を絞り出すようにしている。
【先行技術文献】
【特許文献】
【０００５】
【特許文献１】特開２０１１−２３０７７９号公報
【発明の概要】
【発明が解決しようとする課題】
【０００６】
特許文献１に記載のパウチ包装箱では、前述したように、内容物が残ったパウチからその内容物を残らず絞り出す際に、内容物が残ったパウチをスリットに通してから、そのパウチを箱の天部と底部とで挟んでしごくようにしている。このように、内容物が残った状態のままでパウチの端をスリットに通すという操作があり、人によってはこの操作が面倒であるという問題点を抱えている。
【０００７】
本発明は、上記のような事情に鑑みてなされたものであり、その目的とするところは、パウチに収納した流動状の内容物を簡単な操作で残さず取り出すことのできる機能を有したパウチ包装箱を提供することにある。
【課題を解決するための手段】
【０００８】
上記の目的を達成するため、本発明のパウチ包装箱は、前面パネル、背面パネル及び左右の側面パネルからなる胴部の上下を天面パネルと底面パネルで閉鎖される偏平状の箱であって、前面パネルにはその上半部分に当該前面パネルを横断する破断線が設けられ、左右の側面パネルにはそれぞれ前面パネルの破断線の端から延びて背面パネルに至る破断線が設けられ、背面パネルにはその中央を横断する位置の中ほどに折返し線が設けられており、その折返し線の両端は、左右の側面パネルの破断線からそれぞれ内側に斜め下方に向けて設けられた破断線に接続していることを特徴とする。
【０００９】
このパウチ包装箱は、前面パネルの破断線とこれに繋がる左右の側面パネルの破断線を破断しつつ、包装箱の上部を後方に折り曲げて開封し、次いで、折り曲げた包装箱の上部を下側にして電子レンジ内にセットし、中のパウチを加熱調理する。そして、加熱調理したパウチを取り出してそのパウチから内容物を流し出した後、背面パネルにおける斜め方向の破断線を破断しつつ折返し線のところで折り返して包装箱をもう一段開き、二つ折りにしたパウチを包装箱の天部の角部分と底部の角部分で挟んで引くことにより、残った内容物を絞り出す。
【発明の効果】
【００１０】
本発明のパウチ包装箱は、上部を後方に折り曲げて開封してから、電子レンジで中のパウチを加熱調理し、そのパウチから内容物を流し出した後、背面パネルにおける折返し線のところで包装箱をもう一段開いてから、内容物が残ったパウチを二つ折りにし、この二つ折りにしたパウチを包装箱の天部の角部分と底部の角部分で挟んで引くだけの操作で、パウチから残りの内容物を絞り出せるので、手を汚すようなこともなく、簡単な操作でパウチの内容物を残さず取り出すことができる。
【図面の簡単な説明】
【００１１】
【図１】本発明に係るパウチ包装箱を表側から見た状態で示す斜視図である。
【図２】同じく裏側から見た状態で示す斜視図である。
【図３】図１のパウチ包装箱を組み立てるブランクの展開図である。
【図４】図１のパウチ包装箱を開封後に調理する状態を示す説明図である。
【図５】図１のパウチ包装箱を開封して裏側から見た状態で示す説明図である。
【図６】図５の開封状態からさらにもう一段開いた状態を示す説明図である。
【図７】図１のパウチ包装箱の使用状態を示す説明図である。
【発明を実施するための形態】
【００１２】
次に、本発明の実施の形態について図面を参照しながら詳細に説明する。
【００１３】
図１と図２にそれぞれ表側と裏側を示すパウチ包装箱は、図３に展開図を示す一枚のブランクを組み立てて形成される。
【００１４】
パウチ包装箱を形成するブランクは、板紙を打ち抜いて形成されたもので、図３に示すように、前面パネル１、背面パネル２及び左右の側面パネル３，４がそれぞれ縦方向の折線を介して連設しており、さらに背面パネル２には貼合パネル５が連設している。また、前面パネル１の上下には天面パネル６と底面パネル７が連設され、背面パネル２の上下には天面内側パネル８と底面内側パネル９が連設されており、側面パネル３の上下には折込み片１０，１１が連設され、側面パネル４の上下には折込み片１２，１３が連設されている。
【００１５】
前面パネル１にはその上半部分に当該前面パネル１を横断する破断線ａが設けられ、左右の側面パネル３，４にはそれぞれ前面パネル１の破断線ａの端から延びて背面パネル２に至る直線状の破断線ｂ，ｃが設けられており、貼合パネル５には組立時に左側の側面パネル３の破断線ｂと重なる位置に破断線ｄが設けられている。なお、この例では、前面パネル１を横断する破断線ａは、図示の如く、中央に半円状の押込み領域１ａがあって全体が波形をしたデザインで形成されている。また、この破断線ａは、包装箱を開封するための破断線であり、上半部分、すなわち真ん中より上方であって開封に差し支えない箇所に設けられるものである。
【００１６】
背面パネル２には貼合パネル５の破断線ｄと右側の側面パネル４の破断線ｃとを結ぶようにして当該背面パネル２を横断する折り線αが設けられている。さらに、背面パネル２にはその中央を横断する位置の中ほどに折返し線βが設けられており、その折返し線βの両端は、貼合パネル５の破断線ｄと右側の側面パネル４の破断線ｃからそれぞれ内側に斜め下方に向けて設けられた破断線ｅ，ｆに接続している。斜め方向に向かう破断線ｅ，ｆは、折り線αおよび折返し線βに対して４５度もしくは４５度付近の角度となるように設定するのが好ましい。
【００１７】
図３のブランクを組み立てて形成する箱の中にパウチを収納して図１及び図２に示すパウチ包装箱を形成するが、第一段階として、図３のブランクをサック貼りし、これを複数まとめて充填工程に供給する。具体的には、ブランクを背面パネル２と側面パネル４の境界、及び前面パネル１と側面パネル３の境界で折り曲げ、貼合パネル５の表側と側面パネル３の裏側とを糊付けして折り畳む。このサック貼り状態で折り畳んだブランクを複数枚まとめて充填工程に送り、そこで内容物が入ったパウチを入れつつ図１及び図２に示すパウチ包装箱を組み立てる。
【００１８】
充填工程では、サック貼りしたブランクを起こし、前面パネル１、背面パネル２及び左右の側面パネル３，４からなる胴部を形成してから、上下いずれかの端部を閉じてパウチを収納した後、残った方の端部を閉じる。天部を閉じるには、折込み片１０，１２を内側に折り込んでから、天面内側パネル８を折り曲げてその上から天面パネル６を貼り合わせる。また、底部を閉じるには、折込み片１１，１３を内側に折り込んでから、底面内側パネル９を折り曲げてその上から底面パネル７を貼り合わせる。これにより、図１及び図２に示すパウチ包装箱が形成される。
【００１９】
このようにして形成されたパウチ包装箱は、段ボール箱でスーパーマーケットなどの販売店まで搬送され、店頭にて陳列販売に供される。
【００２０】
消費者は、このパウチ包装箱を使用するに際し、前面パネル１の押込み領域１ａを指先で押し付けるようにして開封する。すなわち、押込み領域１ａを破断した勢いで、前面パネル１の上半部分にある破断線ａとこれに繋がる左右の側面パネル３，４の破断線ｂ，ｃを破断しながら、背面パネル２における折り線αのところで包装箱の上部を折り曲げて開封する。そして、図４に示すように、折り曲げた包装箱の上部を下側にして傾斜させた状態で電子レンジ内にセットし、中のパウチＰを加熱調理する。
【００２１】
この例のパウチ包装箱に収容されているパウチＰは、周縁部をヒートシールして袋状とした所謂四方シール袋で、図４にその一部分が示されているように、パウチＰの上部に通気孔ｈを囲む接着部を有するタイプである。したがって、加熱調理時に、充填された加工食品からの蒸気によってパウチＰの内圧が上昇すると、接着部に応力が集中して剥離を起こし、通気孔ｈから蒸気を逃がすことでパウチＰの破裂等を防ぐようになっている。
【００２２】
電子レンジでの加熱調理が終わると、包装箱を電子レンジから取り出した後、包装箱からパウチＰを取り出し、そのパウチＰを開封して内容物を皿などの上に流し出す。このときパウチＰから内容物を全て出せる訳ではない。
【００２３】
一方、図５に示す如く空になった包装箱を、背面パネル２における斜め方向の破断線ｅ，ｆのところを破断してもう一段開く。すなわち、開封した包装箱の上部をさらに引っ張ることで背面パネル２における斜めの破断線ｅ，ｆを破断しつつ、折返し線βのところで折り返して図６の状態とする。このとき、折返し線βは背面パネル２の中央を横断する位置に設けられているので、天面パネル６と底面パネル７は同じ平面上に位置することになる。
【００２４】
このように、開封した包装箱をもう一段開いてから、図７に示すように、内容物が残っているパウチＰを二つ折りにし、斜めの破断線ｅ，ｆが破断されたところにこの二つ折りのパウチＰを通した状態で、天部の角部分６ａと底部の角部分７ａで挟んで引くことにより、残った内容物を絞り出す。この操作によりパウチＰから残りの内容物を残さず取り出すことができる。
【００２５】
以上、本発明を実施するための形態について詳細に説明してきたが、本発明によるパウチ包装箱は、上記の形態に何ら限定されるものではなく、本発明の趣旨を逸脱しない範囲において種々の変更が可能であることは当然のことである。
【００２６】
例えば、前面パネル１の破断線ａ、側面パネル３，４の破断線ｃ，ｄ、背面パネル３の破断線ｅ，ｆについては、図示した形状のものに限らず、ミシン目のほか適宜形状をした公知の破断線であればいずれも採用可能である。特に、前面パネル１の破断線ａは、実施形態で挙げたパウチ包装箱のように、開けやすさや見栄えなどを考慮したデザインを採用し、このデザインに対応させて種々のタイプの破断線を組み合わせて用いるようにしてもよい。
【００２７】
また、上記の例では、箱の上部の開けやすさを考慮して背面パネル２に折り線αを設けたが、この折り線αがなくても開封することは可能である。
【００２８】
また、背面パネル２に設ける折り線αと折返し線βについては、折曲げやすさの観点からすると、図示のような折罫の途中に切込みのあるリード罫が好ましいが、手で折り曲げられるものであればミシン目でもよいし罫線でも構わない。
【００２９】
また、パウチの内容物は、レトルトカレーを始めとする各種の食品が好適であるが、これらに限るものではなく、パウチの端を破断して傾けただけでは全部が流れ出ない流動状のものであれば何でもよい。
【符号の説明】
【００３０】
１  前面パネル
１ａ  押込み領域
２  背面パネル
３，４  側面パネル
５  貼合パネル
６  天面パネル
６ａ  角部分
７  底面パネル
７ａ  角部分
８  天面内側パネル
９  底面内側パネル
１０〜１３  折込み片
Ｐ  パウチ
ａ  破断線
ｂ，ｃ  破断線
ｅ，ｆ  斜めの破断線
α  折り線
β  折返し線
【図１】
2015205698.tif 000003
【図２】
2015205698.tif 000004
【図３】
2015205698.tif 000005
【図４】
2015205698.tif 000006
【図５】
2015205698.tif 000007
【図６】
2015205698.tif 000008
【図７】
2015205698.tif 000009